(57)【要約】【課題】ＰＨＳを用いた場合に比べ、より広い地域に配設された監視対象について安定した通信状態を維持しながら遠隔監視することができる遠隔監視システム及びそのシステムに用いる通信アダプタ装置を提供する。【解決手段】移動体通信網１５とＩＳＤＮ通信網１８と汎用ＩＳＤＮターミナルアダプタ２３とを介した非制限デジタル通信によって互いに通信可能な監視対象側の通信アダプタ装置１３と監視センター側の通信アダプタ装置２４とを備える。通信アダプタ装置１３は、アナログ電話インターフェース手段１３１と、符号化・復号化処理手段１３２と、伝送信号処理手段１３３と、移動体通信処理手段１３６とを備える。通信アダプタ装置２４は、アナログ電話インターフェース手段２４１と、符号化・復号化処理手段２４２と、伝送信号処理手段２４３と、ＵＳＢコネクタ２４６とを備える。【選択図】図１
2010283591.tif 000002
【特許請求の範囲】
【請求項１】
公衆の通信網を介して監視対象の設置箇所にある監視装置と前記監視対象の設置箇所から離れた遠隔地に設けられた監視センターとの間でデータ及び電話の通信を行うための遠隔監視システムであって、
移動体通信網とＩＳＤＮ通信網と汎用ＩＳＤＮターミナルアダプタとを介した非制限デジタル通信によって互いに通信可能な監視対象側の通信アダプタ装置と監視センター側の通信アダプタ装置とを備え、
前記監視対象側の通信アダプタ装置は、
前記監視装置が生成したデジタルデータから変換されたみなし音声信号を含むアナログ電話音声信号を前記監視装置からアナログ電話インターフェースを介して受信し、受信した前記アナログ電話音声信号に符号化処理を行なってデジタル音声信号に変換し、前記デジタル音声信号にエラー検出用フレームを付加して非制限デジタル通信の伝送信号にする処理を行なって、前記移動体通信網に送信する手段と、
前記監視センターが生成したデジタルデータから変換されたみなし音声信号を含むアナログ電話音声信号が符号化処理によりデジタル音声信号に変換されさらにエラー検出用フレームが付加された非制限デジタル通信の伝送信号を、前記移動体通信網から受信し、受信した非制限デジタル通信の伝送信号に対してエラーフレームの廃棄を行なった上でフレームを除去してデジタル音声信号を抽出し、デジタル音声信号に復号化を行なってアナログ電話音声信号に変換して、変換した結果として得られるみなし音声信号を含むアナログ電話音声信号を、アナログ電話インターフェースを介して前記監視装置に送信する手段と、を備え
前記監視センター側の通信アダプタ装置は、
前記監視装置が生成したデジタルデータから変換されたみなし音声信号を含むアナログ電話音声信号が符号化によりデジタル音声信号に変換されさらにエラー検出用フレームが付加された非制限デジタル通信の伝送信号を、前記ＩＳＤＮ通信網から汎用のＩＳＤＮターミナルアダプタを介して受信し、受信した非制限デジタル通信の伝送信号に対してエラーフレームの廃棄を行なった上でフレームを除去してデジタル音声信号を抽出し、デジタル音声信号に復号化を行なってアナログ音声信号に変換して、得られたみなし音声信号を含むアナログ電話音声信号をアナログ電話インターフェースを介して前記監視センターに送信する手段と、
前記監視センターが生成したデジタルデータから変換されたみなし音声信号を含むアナログ電話音声信号を、前記監視センターからアナログ電話インターフェースを介して受信し、受信した前記アナログ電話音声信号に符号化処理を行なってデジタル音声信号に変換し、前記デジタル音声信号にエラー検出用フレームを付加して、前記移動体通信網及びＩＳＤＮ通信網上で送受信可能な非制限デジタル通信の伝送信号にする処理を行なって、汎用のＩＳＤＮターミナルアダプタを介して前記ＩＳＤＮ通信網に送信する手段と、
を備えたことを特徴とする遠隔監視システム。
【請求項２】
公衆の通信網を介して監視対象の設置箇所にある監視装置と前記監視対象の設置箇所から離れた遠隔地に設けられた監視センターとの間でデータ及び電話の通信を行うための遠隔監視システムであって、
移動体通信網とＩＳＤＮ通信網と汎用ＩＳＤＮターミナルアダプタとを介した非制限デジタル通信によって互いに通信可能な監視対象側の通信アダプタ装置と監視センター側の通信アダプタ装置とを備え、
前記監視対象側の通信アダプタ装置は、
前記監視装置が生成したデジタルデータから変換されたみなし音声信号を含むアナログ電話音声信号を前記監視装置から受信する処理と前記監視センターの装置が生成したデジタルデータから変換されたみなし音声信号を含むアナログ電話音声信号を前記監視装置に送信する処理とを行うアナログ電話インターフェース手段と、
前記アナログ電話インターフェース手段から受けたアナログ電話音声信号をデジタル音声信号に変換する符号化処理と前記監視センター側から受けたデジタル音声信号をアナログ電話音声信号に変換して前記アナログ電話インターフェース手段に出力する復号化処理とを行う符号化・復号化処理手段と、
前記符号化・復号化手段から受けたデジタル音声信号にエラー検出用フレームを付加して非制限デジタル通信の伝送信号にする処理と前記監視センター側から受けた非制限デジタル通信の伝送信号に対してエラーフレームの廃棄を行った上でフレームを除去してデジタル音声信号を取り出し前記符号化・復号化処理手段に出力する処理とを行う伝送信号処理手段と、
前記伝送信号処理手段から受けた非制限デジタル通信の伝送信号を前記移動体通信網に送信する送信処理と前記移動体通信網から受信した非制限デジタル情報通信の伝送信号を前記伝送信号処理手段に出力する受信処理とを行う移動体通信処理手段と、を備え、
前記監視センター側の通信アダプタ装置は、
前記監視センターの装置が生成したデジタルデータから変換されたみなし音声信号を含むアナログ電話音声信号を前記監視センターの装置から受信する処理と前記監視装置が生成したデジタルデータから変換されたみなし音声信号を含むアナログ電話音声信号を前記監視センターの装置に送信する処理とを行うアナログ電話インターフェース手段と、
前記アナログ電話インターフェース手段から受けたアナログ電話音声信号をデジタル音声信号に変換する符号化処理と前記監視装置側から受けたデジタル音声信号をアナログ電話音声信号に変換して前記アナログ電話インターフェース手段に出力する復号化処理とを行う符号化・復号化処理手段と、
前記符号化・復号化処理手段から受けたデジタル音声信号にエラー検出用フレームを付加して非制限デジタル通信の伝送信号にして汎用ＩＳＤＮターミナルアダプタに出力する処理と前記監視装置側から受けた非制限デジタル通信の伝送信号に対してエラーフレームの廃棄を行った上でフレームを除去してデジタル音声信号を取り出し前記符号化・復号化処理手段に出力する処理とを行う伝送信号処理手段と、
を備えたことを特徴とする遠隔監視システム。
【請求項３】
請求項１又は２の遠隔監視システムにおいて、
前記監視装置が生成したデジタルデータは、前記監視対象の監視データ及び前記監視センターの装置を制御するためのデータの少なくとも一方を含み、
前記監視センターの装置が生成したデジタルデータは、前記監視装置を制御するためのデータを含むことを特徴とする遠隔監視システム。
【請求項４】
請求項１乃至３のいずれかの遠隔監視システムにおいて、
前記監視対象側の通信アダプタ装置は、前記アナログ電話インターフェース手段における呼制御信号と前記移動体通信網における通信制御信号とを相互に変換する制御信号変換手段を更に備え、
前記監視センター側の通信アダプタ装置は、前記アナログ電話インターフェースにおける呼制御信号と、前記汎用ＩＳＤＮターミナルアダプタを介してＩＳＤＮ通信網との通信を行なうための通信制御信号とを相互に変換する制御信号変換手段を更に備え、前記汎用ＩＳＤＮターミナルアダプタとの間は汎用シリアルインターフェースで接続されることを特徴とする遠隔監視システム。
【請求項５】
請求項１乃至４のいずれかの遠隔監視システムにおいて、
前記符号化・復号化処理手段は、３２ｋｂｐｓの適応的差分ＰＣＭ（Adaptive Differential Pulse Code Modulation）方式で前記符号化処理及び前記復号化処理を行い、
前記非制限デジタル通信は、６４ｋ非制限デジタル通信であることを特徴とする遠隔監視システム。
【請求項６】
公衆の通信網を介して監視対象の設置箇所にある監視装置と前記監視対象の設置箇所から離れた遠隔地に設けられた監視センターとの間でデータ及び電話の通信を行うための遠隔監視システムに用いる監視対象側の通信アダプタ装置であって、
前記監視装置が生成したデジタルデータから変換されたみなし音声信号を含むアナログ電話音声信号を前記監視装置からアナログ電話インターフェースを介して受信し、受信した前記アナログ電話音声信号に符号化処理を行なってデジタル音声信号に変換し、前記デジタル音声信号にエラー検出用フレームを付加して非制限デジタル通信の伝送信号にする処理を行なって、前記移動体通信網に送信する手段と、
前記監視センターが生成したデジタルデータから変換されたみなし音声信号を含むアナログ電話音声信号が符号化処理によりデジタル音声信号に変換されさらにエラー検出用フレームが付加された非制限デジタル通信の伝送信号を、前記移動体通信網から受信し、受信した非制限デジタル通信の伝送信号に対してエラーフレームの廃棄を行なった上でフレームを除去してデジタル音声信号を抽出し、デジタル音声信号に復号化を行なってアナログ電話音声信号に変換し、変換した結果として得られるみなし音声信号を含むアナログ電話音声信号を、アナログ電話インターフェースを介して前記監視装置に送信する手段と、
を備えたことを特徴とする監視対象側の通信アダプタ装置。
【請求項７】
公衆の通信網を介して監視対象の設置箇所にある監視装置と前記監視対象の設置箇所から離れた遠隔地に設けられた監視センターとの間でデータ及び電話の通信を行うための遠隔監視システムに用いる監視対象側の通信アダプタ装置であって、
前記監視装置が生成したデジタルデータから変換されたみなし音声信号を含むアナログ電話音声信号を前記監視装置から受信する処理と前記監視センターの装置が生成したデジタルデータから変換されたみなし音声信号を含むアナログ電話音声信号を前記監視装置に送信する処理とを行うアナログ電話インターフェース手段と、
前記アナログ電話インターフェース手段から受けたアナログ電話音声信号をデジタル音声信号に変換する符号化処理と前記監視センター側から受けたデジタル音声信号をアナログ電話音声信号に変換して前記アナログ電話インターフェース手段に出力する復号化処理とを行う符号化・復号化処理手段と、
前記符号化・復号化手段から受けたデジタル音声信号にエラー検出用フレームを付加して非制限デジタル通信の伝送信号にする処理と前記監視センター側から受けた非制限デジタル通信の伝送信号に対してエラーフレームの廃棄を行った上でフレームを除去してデジタル音声信号を取り出し前記符号化・復号化処理手段に出力する処理とを行う伝送信号処理手段と、
前記伝送信号処理手段から受けた非制限デジタル情報通信の伝送信号を前記移動体通信網に送信する送信処理と前記移動体通信網から受信した非制限デジタル通信の伝送信号を前記伝送信号処理手段に出力する受信処理とを行う移動体通信処理手段と、
を備えたことを特徴とする監視対象側の通信アダプタ装置。
【請求項８】
請求項６又は７の監視対象側の通信アダプタ装置において、
前記監視装置が生成したデジタルデータは、前記監視対象の監視データ及び前記監視センターの装置を制御するためのデータの少なくとも一方を含み、
前記監視センターの装置が生成したデジタルデータは、前記監視装置を制御するためのデータを含むことを特徴とする監視対象側の通信アダプタ装置。
【請求項９】
請求項６乃至８のいずれかの監視対象側の通信アダプタ装置において、
前記アナログ電話インターフェース手段における呼制御信号と前記移動体通信網における通信制御信号とを相互に変換する制御信号変換手段を更に備えたことを特徴とする監視対象側の通信アダプタ装置。
【請求項１０】
公衆の通信網を介して監視対象の設置箇所にある監視装置と前記監視対象の設置箇所から離れた遠隔地に設けられた監視センターとの間でデータ及び電話の通信を行うための遠隔監視システムに用いる監視センター側の通信アダプタ装置であって、
前記監視装置が生成したデジタルデータから変換されたみなし音声信号を含むアナログ電話音声信号が符号化によりデジタル音声信号に変換されさらにエラー検出用フレームが付加された非制限デジタル通信の伝送信号を、ＩＳＤＮ通信網から汎用のＩＳＤＮターミナルアダプタを介して受信し、受信した非制限デジタル通信の伝送信号に対してエラーフレームの廃棄を行なった上でフレームを除去してデジタル音声信号を抽出し、デジタル音声信号に復号化を行なってアナログ電話音声信号に変換して、得られたみなし音声信号を含むアナログ電話音声信号をアナログ電話インターフェースを介して前記監視センターに送信する手段と、
前記監視センターが生成したデジタルデータから変換されたみなし音声信号を含むアナログ電話音声信号を、前記監視センターからアナログ電話インターフェースを介して受信し、受信した前記アナログ電話音声信号に符号化処理を行なってデジタル音声信号に変換し、前記デジタル音声信号にエラー検出用フレームを付加して、前記移動体通信網及びＩＳＤＮ通信網上で送受信可能な非制限デジタル通信の伝送信号にする処理を行なって、汎用のＩＳＤＮターミナルアダプタを介して前記ＩＳＤＮ通信網に送信する手段と、
を備えたことを特徴とする監視センター側の通信アダプタ装置。
【請求項１１】
公衆の通信網を介して監視対象の設置箇所にある監視装置と前記監視対象の設置箇所から離れた遠隔地に設けられた監視センターとの間でデータ及び電話の通信を行うための遠隔監視システムに用いる監視センター側の通信アダプタ装置であって、
前記監視センターの装置が生成したデジタルデータから変換されたみなし音声信号を含むアナログ電話音声信号を前記監視センターの装置から受信する処理と前記監視装置が生成したデジタルデータから変換されたみなし音声信号を含むアナログ電話音声信号を前記監視センターの装置に送信する処理とを行うアナログ電話インターフェース手段と、
前記アナログ電話インターフェース手段から受けたアナログ電話音声信号をデジタル音声信号に変換する符号化処理と前記監視装置側から受けたデジタル音声信号をアナログ電話音声信号に変換して前記アナログ電話インターフェース手段に出力する復号化処理とを行う符号化・復号化処理手段と、
前記符号化・復号化処理手段から受けたデジタル音声信号にエラー検出用フレームを付加して非制限デジタル通信の伝送信号にして汎用ＩＳＤＮターミナルアダプタに出力する処理と前記監視装置側から受けた非制限デジタル通信の伝送信号に対してエラーフレームの廃棄を行った上でフレームを除去してデジタル音声信号を取り出し前記符号化・復号化処理手段に出力する処理とを行う伝送信号処理手段と、
を備えたことを特徴とする監視センター側の通信アダプタ装置。
【請求項１２】
請求項１０又は１１の監視センター側の通信アダプタ装置において、
前記監視装置が生成したデジタルデータは、前記監視対象の監視データ及び前記監視センターの装置を制御するためのデータの少なくとも一方を含み、
前記監視センターの装置が生成したデジタルデータは、前記監視装置を制御するためのデータを含むことを特徴とする監視センター側の通信アダプタ装置。
【請求項１３】
請求項１０乃至１２のいずれかの監視センター側の通信アダプタ装置において、
前記アナログ電話インターフェースにおける呼制御信号と、前記汎用ＩＳＤＮターミナルアダプタを介してＩＳＤＮ通信網との通信を行なうための通信制御信号とを相互に変換する制御信号変換手段を更に備え、
前記汎用ＩＳＤＮターミナルアダプタとの間は汎用シリアルインターフェースで接続されることを特徴とする監視センター側の通信アダプタ装置。
【発明の詳細な説明】
【技術分野】
【０００１】
本発明は、各種設備や機器等の監視対象の監視データを遠隔地の監視センターの監視装置へ送信し、必要に応じて音声通話することができる遠隔監視システム及びそのシステムに用いる通信アダプタ装置に関するものである。
【背景技術】
【０００２】
従来、エレベータや工場の生産設備機器等の被監視機器のデータを通信回線を介して遠隔地に設置された監視センターの監視装置へ送信し、必要に応じて被監視機器の利用者や操作者と監視センターのオペレータとが音声通話することが行われている。この被監視機器のデータの送受信及び音声通話の通信にＰＨＳ（Personal Handyphone System）を用いた遠隔監視システムが知られている（例えば、特許文献１参照）。
【０００３】
図７はＰＨＳ通信網を用いた遠隔監視システムの一例を示す全体構成図である。図７において、被監視機器５０１に設けられた監視装置５０２は通信装置５０３を介してＰＨＳ通信端末５０４に接続されており、例えば駆動モータの動作状況等のデータが定期的又は不定期的に無線通信により送信される。このデータはＰＨＳ基地局５０５で受信され、ＰＨＳ通信網５０６、ＩＳＤＮ等の電話通信網５０７及び通信装置５０８を介して監視センター５０９の遠隔監視装置５１０に送られる。また、ＰＨＳ通信網５０６を介して被監視機器５０１と監視センター５０９との間で音声通信回線を確立することができる。これにより、遠隔地に配設された複数の被監視機器５０１を、一箇所の監視センター５０９で集中的に監視することができるとともに、必要に応じて被監視機器５０１の利用者５１１や操作者が被監視機器５０１の状況を監視センター５０９のオペレータ５１２に音声で伝えたり、オペレータ５１２が利用者５１１や操作者に音声で指示したりすることができる。
【先行技術文献】
【特許文献】
【０００４】
【特許文献１】特開２００２−０２００４９号公報
【発明の概要】
【発明が解決しようとする課題】
【０００５】
しかしながら、上記ＰＨＳを用いた遠隔監視システムでは、ＰＨＳ基地局５０５の送信出力が２０〜５００ｍＷであり、ＰＨＳ通信端末５０４の送信出力が１０ｍＷ程度と携帯電話機に比べて小さく、同じ面積のエリアをカバーするために携帯電話機の基地局よりも多い数のＰＨＳ基地局５０５を設置する必要がある。しかし、ＰＨＳ基地局５０５は日本国内すべての地域において同程度の密度では設置されておらず、都市部に偏って設置されているため、ＰＨＳ通信端末５０４によって安定して通信できる地域は都市部に限られ、それ以外の地域ではＰＨＳ基地局５０５の電波が届かなかったり、ＰＨＳ基地局自体が設置されていなかったりして、通信圏外となる場合が多い。また、ＰＨＳ通信圏内であっても、ＰＨＳ基地局５０５とＰＨＳ通信端末５０４との間の電界強度が変動したり、電波干渉が発生したりして、通信の失敗が多く発生する地域もある。このため、ＰＨＳを用いた遠隔監視システムでは、都市部から離れた地域や山間部などＰＨＳの通信圏外の地域や通信の不安定な地域に配設された機器を遠隔監視することができなかった。
【０００６】
本発明は以上の問題点に鑑みなされたものであり、その目的は、ＰＨＳを用いた場合に比べ、より広い地域に配設された監視対象について安定した通信状態を維持しながら遠隔監視することができる遠隔監視システム及びそのシステムに用いる通信アダプタ装置を提供することである。
【課題を解決するための手段】
【０００７】
本発明に係る遠隔監視システムは、公衆の通信網を介して監視対象の設置箇所にある監視装置と前記監視対象の設置箇所から離れた遠隔地に設けられた監視センターとの間でデータ及び電話の通信を行うための遠隔監視システムであって、移動体通信網とＩＳＤＮ通信網と汎用ＩＳＤＮターミナルアダプタとを介した非制限デジタル通信によって互いに通信可能な監視対象側の通信アダプタ装置と監視センター側の通信アダプタ装置とを備える。
前記監視対象側の通信アダプタ装置は、前記監視装置が生成したデジタルデータから変換されたみなし音声信号を含むアナログ電話音声信号を前記監視装置からアナログ電話インターフェースを介して受信し、受信した前記アナログ電話音声信号に符号化処理を行なってデジタル音声信号に変換し、前記デジタル音声信号にエラー検出用フレームを付加して非制限デジタル通信の伝送信号にする処理を行なって、前記移動体通信網に送信する手段と、前記監視センターが生成したデジタルデータから変換されたみなし音声信号を含むアナログ電話音声信号が符号化処理によりデジタル音声信号に変換されさらにエラー検出用フレームが付加された非制限デジタル通信の伝送信号を、前記移動体通信網から受信し、受信した非制限デジタル通信の伝送信号に対してエラーフレームの廃棄を行なった上でフレームを除去してデジタル音声信号を抽出し、デジタル音声信号に復号化を行なってアナログ電話音声信号に変換して、変換した結果として得られるみなし音声信号を含むアナログ電話音声信号を、アナログ電話インターフェースを介して前記監視装置に送信する手段と、を備える。
前記監視センター側の通信アダプタ装置は、前記監視装置が生成したデジタルデータから変換されたみなし音声信号を含むアナログ電話音声信号が符号化によりデジタル音声信号に変換されさらにエラー検出用フレームが付加された非制限デジタル通信の伝送信号を、前記ＩＳＤＮ通信網から汎用のＩＳＤＮターミナルアダプタを介して受信し、受信した非制限デジタル通信の伝送信号に対してエラーフレームの廃棄を行なった上でフレームを除去してデジタル音声信号を抽出し、デジタル音声信号に復号化を行なってアナログ音声信号に変換して、得られたみなし音声信号を含むアナログ電話音声信号をアナログ電話インターフェースを介して前記監視センターに送信する手段と、前記監視センターが生成したデジタルデータから変換されたみなし音声信号を含むアナログ電話音声信号を、前記監視センターからアナログ電話インターフェースを介して受信し、受信した前記アナログ電話音声信号に符号化処理を行なってデジタル音声信号に変換し、前記デジタル音声信号にエラー検出用フレームを付加して、前記移動体通信網及びＩＳＤＮ通信網上で送受信可能な非制限デジタル通信の伝送信号にする処理を行なって、汎用のＩＳＤＮターミナルアダプタを介して前記ＩＳＤＮ通信網に送信する手段と、を備える。
【０００８】
本発明に係る他の遠隔監視システムは、公衆の通信網を介して監視対象の設置箇所にある監視装置と前記監視対象の設置箇所から離れた遠隔地に設けられた監視センターとの間でデータ及び電話の通信を行うための遠隔監視システムであって、移動体通信網とＩＳＤＮ通信網と汎用ＩＳＤＮターミナルアダプタとを介した非制限デジタル通信によって互いに通信可能な監視対象側の通信アダプタ装置と監視センター側の通信アダプタ装置とを備える。
前記監視対象側の通信アダプタ装置は、前記監視装置が生成したデジタルデータから変換されたみなし音声信号を含むアナログ電話音声信号を前記監視装置から受信する処理と前記監視センターの装置が生成したデジタルデータから変換されたみなし音声信号を含むアナログ電話音声信号を前記監視装置に送信する処理とを行うアナログ電話インターフェース手段と、前記アナログ電話インターフェース手段から受けたアナログ電話音声信号をデジタル音声信号に変換する符号化処理と前記監視センター側から受けたデジタル音声信号をアナログ電話音声信号に変換して前記アナログ電話インターフェース手段に出力する復号化処理とを行う符号化・復号化処理手段と、前記符号化・復号化手段から受けたデジタル音声信号にエラー検出用フレームを付加して非制限デジタル通信の伝送信号にする処理と前記監視センター側から受けた非制限デジタル通信の伝送信号に対してエラーフレームの廃棄を行った上でフレームを除去してデジタル音声信号を取り出し前記符号化・復号化処理手段に出力する処理とを行う伝送信号処理手段と、前記伝送信号処理手段から受けた非制限デジタル通信の伝送信号を前記移動体通信網に送信する送信処理と前記移動体通信網から受信した非制限デジタル通信の伝送信号を前記伝送信号処理手段に出力する受信処理とを行う移動体通信処理手段と、を備える。
前記監視センター側の通信アダプタ装置は、前記監視センターの装置が生成したデジタルデータから変換されたみなし音声信号を含むアナログ電話音声信号を前記監視センターの装置から受信する処理と前記監視装置が生成したデジタルデータから変換されたみなし音声信号を含むアナログ電話音声信号を前記監視センターの装置に送信する処理とを行うアナログ電話インターフェース手段と、前記アナログ電話インターフェース手段から受けたアナログ電話音声信号をデジタル音声信号に変換する符号化処理と前記監視装置側から受けたデジタル音声信号をアナログ電話音声信号に変換して前記アナログ電話インターフェース手段に出力する復号化処理とを行う符号化・復号化処理手段と、前記符号化・復号化処理手段から受けたデジタル音声信号にエラー検出用フレームを付加して非制限デジタル通信の伝送信号にして汎用ＩＳＤＮターミナルアダプタに出力する処理と前記監視装置側から受けた非制限デジタル通信の伝送信号に対してエラーフレームの廃棄を行った上でフレームを除去してデジタル音声信号を取り出し前記符号化・復号化処理手段に出力する処理とを行う伝送信号処理手段と、を備える。
【０００９】
前記遠隔監視システムにおいて、前記監視装置が生成したデジタルデータは、前記監視対象の監視データ及び前記監視センターの装置を制御するためのデータの少なくとも一方を含み、前記監視センターの装置が生成したデジタルデータは、前記監視装置を制御するためのデータを含むものであってもよい。
また、前記遠隔監視システムにおいて、前記監視対象側の通信アダプタ装置は、前記アナログ電話インターフェース手段における呼制御信号と前記移動体通信網における通信制御信号とを相互に変換する制御信号変換手段を更に備え、前記監視センター側の通信アダプタ装置は、前記アナログ電話インターフェースにおける呼制御信号と、前記汎用ＩＳＤＮターミナルアダプタを介してＩＳＤＮ通信網との通信を行なうための通信制御信号とを相互に変換する制御信号変換手段を更に備え、前記汎用ＩＳＤＮターミナルアダプタとの間は汎用シリアルインターフェースで接続されるものであってもよい。前記監視対象側の通信アダプタ装置及び前記監視センター側の通信アダプタ装置それぞれに前記制御信号変換手段を備えることにより、監視装置発監視センター着、及び監視センター発監視装置着の双方向での非制限デジタル通信の起動が可能になる。
また、前記遠隔監視システムにおいて、前記符号化・復号化処理手段は、３２ｋｂｐｓの適応的差分ＰＣＭ（Adaptive Differential Pulse Code Modulation）方式で前記符号化処理及び前記復号化処理を行い、前記非制限デジタル通信は、６４ｋ非制限デジタル通信であってもよい。
また、前記遠隔監視システムにおいて、前記監視対象側の通信アダプタ装置及び前記監視センター側の通信アダプタ装置はそれぞれ、前記伝送信号処理手段から受けた非制限デジタル通信の伝送信号に前記制御信号変換手段から受けた前記呼制御信号を重畳して前記移動体通信処理手段に出力する信号重畳処理と前記移動体通信処理手段から受けた非制限デジタル通信の伝送信号から呼制御信号を分離して前記制御信号変換手段に出力するとともに該呼制御信号を分離した伝送信号を前記伝送信号処理手段に出力する信号分離処理とを行う信号重畳・分離手段を、更に備えてもよい。
【００１０】
本発明に係る監視対象側の通信アダプタ装置は、公衆の通信網を介して監視対象の設置箇所にある監視装置と前記監視対象の設置箇所から離れた遠隔地に設けられた監視センターとの間でデータ及び電話の通信を行うための遠隔監視システムに用いる監視対象側の通信アダプタ装置であって、前記監視装置が生成したデジタルデータから変換されたみなし音声信号を含むアナログ電話音声信号を前記監視装置からアナログ電話インターフェースを介して受信し、受信した前記アナログ電話音声信号に符号化処理を行なってデジタル音声信号に変換し、前記デジタル音声信号にエラー検出用フレームを付加して非制限デジタル通信の伝送信号にする処理を行なって、前記移動体通信網に送信する手段と、前記監視センターが生成したデジタルデータから変換されたみなし音声信号を含むアナログ電話音声信号が符号化処理によりデジタル音声信号に変換されさらにエラー検出用フレームが付加された非制限デジタル通信の伝送信号を、前記移動体通信網から受信し、受信した非制限デジタル通信の伝送信号に対してエラーフレームの廃棄を行なった上でフレームを除去してデジタル音声信号を抽出し、デジタル音声信号に復号化を行なってアナログ電話音声信号に変換し、変換した結果として得られるみなし音声信号を含むアナログ電話音声信号を、アナログ電話インターフェースを介して前記監視装置に送信する手段と、を備える。
【００１１】
本発明に係る他の監視対象側の通信アダプタ装置は、公衆の通信網を介して監視対象の設置箇所にある監視装置と前記監視対象の設置箇所から離れた遠隔地に設けられた監視センターとの間でデータ及び電話の通信を行うための遠隔監視システムに用いる監視対象側の通信アダプタ装置であって、前記監視装置が生成したデジタルデータから変換されたみなし音声信号を含むアナログ電話音声信号を前記監視装置から受信する処理と前記監視センターの装置が生成したデジタルデータから変換されたみなし音声信号を含むアナログ電話音声信号を前記監視装置に送信する処理とを行うアナログ電話インターフェース手段と、前記アナログ電話インターフェース手段から受けたアナログ電話音声信号をデジタル音声信号に変換する符号化処理と前記監視センター側から受けたデジタル音声信号をアナログ電話音声信号に変換して前記アナログ電話インターフェース手段に出力する復号化処理とを行う符号化・復号化処理手段と、前記符号化・復号化手段から受けたデジタル音声信号にエラー検出用フレームを付加して非制限デジタル通信の伝送信号にする処理と前記監視センター側から受けた非制限デジタル通信の伝送信号に対してエラーフレームの廃棄を行った上でフレームを除去してデジタル音声信号を取り出し前記符号化・復号化処理手段に出力する処理とを行う伝送信号処理手段と、前記伝送信号処理手段から受けた非制限デジタル通信の伝送信号を前記移動体通信網に送信する送信処理と前記移動体通信網から受信した非制限デジタル通信の伝送信号を前記伝送信号処理手段に出力する受信処理とを行う移動体通信処理手段と、を備える。
【００１２】
前記監視対象側の通信アダプタ装置において、前記監視装置が生成したデジタルデータは、前記監視対象の監視データ及び前記監視センターの装置を制御するためのデータの少なくとも一方を含み、前記監視センターの装置が生成したデジタルデータは、前記監視装置を制御するためのデータを含むものであってもよい。
また、前記監視対象側の通信アダプタ装置において、前記アナログ電話インターフェース手段における呼制御信号と前記移動体通信網における通信制御信号とを相互に変換する制御信号変換手段を更に備えてもよい。
【００１３】
本発明に係る監視センター側の通信アダプタ装置は、公衆の通信網を介して監視対象の設置箇所にある監視装置と前記監視対象の設置箇所から離れた遠隔地に設けられた監視センターとの間でデータ及び電話の通信を行うための遠隔監視システムに用いる監視センター側の通信アダプタ装置であって、前記監視装置が生成したデジタルデータから変換されたみなし音声信号を含むアナログ電話音声信号が符号化によりデジタル音声信号に変換されさらにエラー検出用フレームが付加された非制限デジタル通信の伝送信号を、ＩＳＤＮ通信網から汎用のＩＳＤＮターミナルアダプタを介して受信し、受信した非制限デジタル通信の伝送信号に対してエラーフレームの廃棄を行なった上でフレームを除去してデジタル音声信号を抽出し、デジタル音声信号に復号化を行なってアナログ電話音声信号に変換して、得られたみなし音声信号を含むアナログ電話音声信号をアナログ電話インターフェースを介して前記監視センターに送信する手段と、前記監視センターが生成したデジタルデータから変換されたみなし音声信号を含むアナログ電話音声信号を、前記監視センターからアナログ電話インターフェースを介して受信し、受信した前記アナログ電話音声信号に符号化処理を行なってデジタル音声信号に変換し、前記デジタル音声信号にエラー検出用フレームを付加して、前記移動体通信網及びＩＳＤＮ通信網上で送受信可能な非制限デジタル通信の伝送信号にする処理を行なって、汎用のＩＳＤＮターミナルアダプタを介して前記ＩＳＤＮ通信網に送信する手段と、を備える。
【００１４】
また、本発明に係る他の監視センター側の通信アダプタ装置は、公衆の通信網を介して監視対象の設置箇所にある監視装置と前記監視対象の設置箇所から離れた遠隔地に設けられた監視センターとの間でデータ及び電話の通信を行うための遠隔監視システムに用いる監視センター側の通信アダプタ装置であって、前記監視センターの装置が生成したデジタルデータから変換されたみなし音声信号を含むアナログ電話音声信号を前記監視センターの装置から受信する処理と前記監視装置が生成したデジタルデータから変換されたみなし音声信号を含むアナログ電話音声信号を前記監視センターの装置に送信する処理とを行うアナログ電話インターフェース手段と、前記アナログ電話インターフェース手段から受けたアナログ電話音声信号をデジタル音声信号に変換する符号化処理と前記監視装置側から受けたデジタル音声信号をアナログ電話音声信号に変換して前記アナログ電話インターフェース手段に出力する復号化処理とを行う符号化・復号化処理手段と、前記符号化・復号化処理手段から受けたデジタル音声信号にエラー検出用フレームを付加して非制限デジタル通信の伝送信号にして汎用ＩＳＤＮターミナルアダプタに出力する処理と前記監視装置側から受けた非制限デジタル通信の伝送信号に対してエラーフレームの廃棄を行った上でフレームを除去してデジタル音声信号を取り出し前記符号化・復号化処理手段に出力する処理とを行う伝送信号処理手段と、を備える。
【００１５】
前記監視センター側の通信アダプタ装置において、前記監視装置が生成したデジタルデータは、前記監視対象の監視データ及び前記監視センターの装置を制御するためのデータの少なくとも一方を含み、前記監視センターの装置が生成したデジタルデータは、前記監視装置を制御するためのデータを含むものであってもよい。
また、前記監視センター側の通信アダプタ装置において、前記アナログ電話インターフェースにおける呼制御信号と、前記汎用ＩＳＤＮターミナルアダプタを介してＩＳＤＮ通信網との通信を行なうための通信制御信号とを相互に変換する制御信号変換手段を更に備え、前記汎用ＩＳＤＮターミナルアダプタとの間は汎用シリアルインターフェースで接続されるものであってもよい。
【発明の効果】
【００１６】
本発明によれば、監視対象の監視装置からのデジタルデータから変換されたみなし音声信号を含むアナログ電話音声信号が、監視対象側の通信アダプタ装置のアナログ電話インターフェース手段で受信されると、符号化・復号化処理によりデジタル音声信号に符号化され、エラー訂正用フレームが付加されて非制限デジタル通信の伝送信号による処理がなされる。この伝送信号は移動体通信網用信号に変換されて移動体通信網に送信され、非制限デジタル通信呼が接続している監視センター側の通信アダプタ装置に転送される。そして、監視センター側の通信アダプタ装置が移動体通信網を介して受信した非制限デジタル通信の伝送信号を受信すると、伝送信号からデジタル音声信号を取り出してアナログ電話音声信号に復号化して、アナログ電話インターフェースから出力される。一方、監視センターからのアナログ電話音声信号も同様にして非制限デジタル通信の伝送信号に変換されて送信され、監視対象側の通信アダプタ装置で受信されてアナログ電話音声信号に復号化される。これにより、監視対象の監視装置と監視センターとの間で、移動体通信網を介して、デジタルデータから変換されたみなし音声信号を含むアナログ電話音声信号の送受信が可能となり、従来のＰＨＳを用いた場合に比べ、より広い地域に配設された監視対象について安定した通信状態を維持しながら遠隔監視することができる。
【図面の簡単な説明】
【００１７】
【図１】本発明の実施形態に係る遠隔監視システムの一例の概要を示す説明図。
【図２】監視対象側の通信アダプタ装置の一構成例を示す機能ブロック図。
【図３】監視センター側の通信アダプタ装置の一構成例を示す機能ブロック図。
【図４】エレベータの異常発生時の動作を示すフローチャート。
【図５】エレベータの監視データをポーリングにより吸い上げる場合の動作の一例を示すフローチャート。
【図６】エレベータ内の利用者と監視センターのオペレータとの音声通話の動作を示すフローチャート。
【図７】従来技術に係るＰＨＳを用いた遠隔監視システムの一例の概要を示す説明図。
【発明を実施するための形態】
【００１８】
図１は、本発明の一実施形態に係る遠隔監視システムの概要を示す説明図である。本実施形態は、本発明を監視対象としてエレベータを監視する遠隔監視システムに適用した例である。図１において、エレベータ１の設置箇所にある監視装置１０は、巻上機２や駆動部３及びコンピュータ等の情報処理装置からなる主制御装置４等が配設された機械室に設置され、主制御装置４に接続され、駆動部３の駆動状況や扉の開閉状況等の運転状況を常に監視している。エレベータ１が正常に運転しているときは、遠隔地に設けられた監視センター２０の遠隔監視装置２１に所定の時間毎に運転状況を監視データとして送信し、エレベータ１に異常が発生したときはリアルタイムで遠隔監視装置２１に監視データを送信する。監視装置１０から出力されるデジタル信号の監視データは、モデム１１でアナログ信号としてみなし音声信号（モデム信号）に変換され、切替器１２を中継して監視対象側の通信アダプタ装置１３に送信される。監視対象側の通信アダプタ装置１３では、みなし音声データを含むアナログ電話音声信号を高品質符号化処理により符号化した後、アンテナ１４から移動体通信網１５の携帯基地局１６に無線送信する。なお、上記アンテナ１４からの出力は０．６〜０．８Ｗ、上記携帯基地局１６の出力は２０〜１００Ｗ程度であり、ＰＨＳ基地局からの出力に比べて出力が大きいため、１つの携帯基地局１６でより広いエリアに設置された複数の監視対象を遠隔監視することができる。
【００１９】
また、エレベータ１には送受話器１７が設けられ、非常時に、エレベータ１の利用者が監視センター２０の送受話器２２のオペレータと音声通話できるようになっている。送受話器１７のアナログの音声通話信号は切替器１２を介して監視対象側の通信アダプタ装置１３に送られ、高品質符号化処理により符号化された後、アンテナ１４から携帯基地局１６に無線送信される。監視センター２０のオペレータのアナログの音声通話信号も監視センター２０の送受話器２２からエレベータ１の送受話器１７に送られる。このようにして、エレベータ１の利用者と監視センター２０のオペレータとの間で、アナログ電話による音声通話を行うことができる。切替器１２は、モデム１１から出力されるアナログのみなし音声信号（モデム信号）と送受話器１７のアナログの音声通話信号とを監視対象側の通信アダプタ装置１３に送る。また、切替器１２は、監視対象側の通信アダプタ装置１３から出力されるアナログの音声通話信号を送受話器１７に送る。
【００２０】
監視センター２０には、遠隔監視装置２１及び送受話器２２のほかに、ＩＳＤＮ通信網１８に接続するためのターミナルアダプタ（以下、「ＴＡ」という）２３、監視センター側の通信アダプタ装置２４、切替器２５、モデム２６が設けられている。監視センター２０に設けられた切替器２５は、監視センター側の通信アダプタ装置２４から出力されるアナログ電話音声信号を、みなし音声信号の場合にはモデム２６に切り替えて送り、音声通話信号の場合には送受話器２２に送る。この信号の切り替えは、例えば、みなし音声信号のヘッダに付加された監視データである旨の信号やプッシュボタン信号（パルス信号）等に基づいて行われる。
【００２１】
図２は、上記監視対象側の通信アダプタ装置１３の一構成例を示す機能ブロック図である。監視対象側の通信アダプタ装置１３は、アナログ電話インターフェース手段としての加入者ループインターフェース回路部（以下、ＳＬＩＣ：Subscriber Loop Interface Circuitという。）１３１、符号化・復号化処理手段としてのＡＤＰＣＭコーデック部（以下、ＡＤＰＣＭ−Ｃｏｄｅｃ：Adaptive Differential Pulse Code Modulation−Coder Decoderという。）１３２、伝送信号処理手段としてのフレーム制御装置１３３、制御信号変換手段としての呼制御信号変換装置１３４、信号重畳・分離手段としての伝送信号重畳・分離装置１３５、移動体通信処理手段としての無線通信装置１３６、加入者情報記憶媒体としてのＵＳＩＭ（Universal Subscriber Identity Module）１３７を備えている。
【００２２】
ＳＬＩＣ１３１は、電話回線を接続するためのインターフェース回路であり、監視データ及び制御データの少なくとも一方のデジタルデータから変換されたみなし音声信号を含むアナログ電話音声信号を監視装置１０との間で送受信する。また、ＳＬＩＣ１３１は、エレベータ１に配設された送受話器１７の回線給電制御機能や回線状態監視機能を有していてもよい。
【００２３】
ＡＤＰＣＭ−Ｃｏｄｅｃ１３２は、音声をデジタルデータに変換する方式の一つである適応的差分パルス符号変調方式により、信号やデータを符号化／復号化する装置であり、ＳＬＩＣ１３１から受けたアナログ電話音声信号をデジタル音声信号に変換してフレーム制御装置１３３に出力する符号化処理と、フレーム制御装置１３３から受信したデジタル音声信号をアナログ電話音声信号に変換してＳＬＩＣ１３１に出力する復号化処理とを行う。
【００２４】
フレーム制御装置１３３は、ＡＤＰＣＭ−Ｃｏｄｅｃ１３２から受けたデジタル音声信号にエラー訂正用フレームを付加して移動体通信網１５及びＩＳＤＮ通信網１８上で送受信可能な非制限デジタル通信の伝送信号にする処理と、非制限デジタル通信の伝送信号からエラーフレームの廃棄を行なった上でフレームの除去を行なうことによりデジタル音声信号を取り出してＡＤＰＣＭ−Ｃｏｄｅｃ１３２に出力する処理とを行う。ここで、エラー訂正用フレームの実現方法として、ＰＰＰ（Point to Point Protpcol）というプロトコルが適用されてもよい。ＰＰＰについてはＲＦＣ１６６１にて規定されていて、またＰＰＰにおけるフレーム構造についてはＲＦＣ１６６２にて規定されている。また、エラー訂正用フレームとして、ＰＩＡＦＳ（PHS Internet Access Forum Standard）で使用されている適用ＡＲＱフレームが適用されてもよい。
【００２５】
呼制御信号変換装置１３４は、モデムやＴＡの制御に使われるコマンド体系の一つであるＡＴコマンドを用いて、無線通信装置１３６に対する移動体通信網１５の制御信号の送受信を行ない、またそれらの移動体通信網１５の制御信号と、ＳＬＩＣ１３１を介して送受信するアナログ電話インターフェースの呼制御信号との相互変換を行なう。
【００２６】
伝送信号重畳・分離装置１３５は、フレーム制御装置１３３から受けた伝送信号に呼制御変換装置１３４から受けた通信制御信号を重畳して無線通信装置１３４に送信するとともに、無線通信装置１３４から受信した各種信号を通信制御信号と伝送信号とに分離して、通信制御信号を呼制御信号変換装置１３４に出力し、伝送信号をフレーム制御装置１３３に出力する。
【００２７】
無線通信装置１３６は、変復調器、シンセサイザ、周波数変換器，高周波増幅器などにより構成され、携帯基地局１６と所定の周波数及び通信方式で無線通信を行い、移動体通信網１５及びＩＳＤＮ通信網１８を介して監視センター２０の遠隔監視装置２１や送受話器２２と通信するときに用いられる。なお、無線通信装置１３６は、汎用の組込み用移動体通信モジュールを用いてもよい。
また、ＵＳＩＭ１３７は、汎用加入者識別モジュールで、携帯電話事業者への加入情報などが記録されている。
【００２８】
従来、モデムでアナログ電話音声信号に変換されたみなし音声信号を移動体通信網で送受信すると圧縮率の高い音声符号化に起因する極端なスループットの低下が発生していたが、本実施形態に係る通信アダプタ装置では、ＡＤＰＣＭ等の高音質符号化方式を採用することにより、この問題を解決している。
【００２９】
図３は、監視センター側の通信アダプタ装置２４の一構成例を示す機能ブロック図である。監視センター側の通信アダプタ装置２４は、ＳＬＩＣ２４１、ＡＤＰＣＭ−Ｃｏｄｅｃ２４２、フレーム制御装置２４３、呼制御信号変換装置２４４、伝送信号重畳・分離装置２４５、ＵＳＢ（Universal Serial Bus）コネクタ２４６を備えている。監視センター側の通信アダプタ装置２４は、前述の監視対象側の通信アダプタ装置１３に比べて、無線通信装置１３６とＵＳＩＭ１３７とを備えない代わりに、ＵＳＢを介した通信によりＴＡ２３に接続するためのＵＳＢコネクタ２４６を備えている。監視対象側の通信アダプタ装置１３と同様な構成については説明を省略する。なお、図示の例では、ＵＳＢコネクタ２４６とＴＡ２３との間をＵＳＢの汎用シリアルインターフェース信号でデータを送受信する構成を示しているが、ＵＳＢコネクタ２４６に代えてＲＳ２３２Ｃコネクタを用いＲＳ２３２Ｃの汎用シリアルインターフェース信号でデータを送受信することもできる。
【００３０】
ＳＬＩＣ２４１は、ＳＬＩＣ１３１と同等の機能を有するものであり、アナログ電話音声信号を遠隔監視装置２１との間で送受信する。また、ＳＬＩＣ２４１は、監視センター２０に配設された送受話器２２の回線給電制御機能や回線状態監視機能を有していてもよい。
【００３１】
ＡＤＰＣＭ−Ｃｏｄｅｃ２４２は、ＡＤＰＣＭ−Ｃｏｄｅｃ１３２と同等の機能を有するものであり、アナログ音声信号をＳＬＩＣ２４１と間で送受信し、デジタル音声信号をフレーム制御装置２３４と送受信する。
【００３２】
呼制御信号変換装置２４４は、ＡＴコマンドを用いてＩＳＤＮターミナルアダプタ２３とＩＳＮＤ通信網の制御信号の送受信を行ない、またそれらのＩＳＤＮ信網の制御信号と、ＳＬＩＣ２４４を介して送受信するアナログ電話インターフェースの呼制御信号との相互変換を行なう。
【００３３】
伝送信号重畳・分離装置２４５は、フレーム制御装置１３３から受けた伝送信号に呼制御変換装置１３４から受けた通信制御信号を重畳してＵＳＢコネクタ２４６を経由してＩＳＤＮターミナルアダプタ２３に送信するとともに、ＩＳＤＮターミナルアダプタ２３からＵＳＢコネクタ２４６を経由して受信した各種信号を通信制御信号と伝送信号とに分離して、通信制御信号を呼制御信号変換装置２４４に出力し、伝送信号をフレーム制御装置２３４に出力する。
【００３４】
移動体通信網１５の通信方式としてはＷ−ＣＤＭＡ（Wideband Code Division Multiple Access）の非制限デジタル通信方式を用いることができる。ここで、非制限デジタル通信方式とは、３ＧＰＰ（3rd Generation Partnership Project）標準にて定められている回線交換方式で上り下り６４ｋｂｉｔ／ｓの通信速度を実現する通信方式であり、Ｗ−ＣＤＭＡ網とＩＳＤＮ通信網との相互接続によりＷ−ＣＤＭＡ端末とＩＳＤＮ端末との間の６４ｋｂｉｔ／ｓでのエンド・エンドデジタル通信を提供可能とするものである。上記Ｗ−ＣＤＭＡの非制限デジタル通信方式を用いることにより、監視対象側の通信アダプタ装置１３と監視センター側の通信アダプタ装置２４との間で、３２ｋｂｐｓのＡＤＰＣＭ（適応的差分ＰＣＭ）方式で符号化されたデータを６４ｋ非制限デジタル通信により送受信することができる。
【００３５】
次に、上記構成の遠隔監視システムでエレベータ１に異常が発生したときの動作について説明する。
図４は、エレベータ１の異常発生時の動作の一例を示すフローチャートである。図４において、エレベータ１が故障した場合（ステップ３０１）、監視装置１０は当該故障を検出して監視センター２０への発呼要求を送信する（ステップ３０２）。監視装置１０の接続要求はモデム１１でアナログ電話インターフェースの発呼要求信号に変換される（ステップ３０３）。監視対象側の通信アダプタ装置１３は、監視装置１０からの発呼要求信号を受信すると、移動体通信網１５に対して監視センター２０の電話番号宛てに発呼する（ステップ３０４）。この発呼により、移動体通信網１５及びＩＳＤＮ通信網１８にＩＳＤＮターミナルアダプタを介して接続された監視センター側の通信アダプタ装置２４に着信し、前記監視センター側の通信アダプタ装置２４よりアナログ電話インターフェースを介して監視センター側のモデム２６が呼び出される（ステップ３０５）。監視センター２０側のモデム２６が応答する（ステップ３０６）と、アナログ電話インターフェースを介して監視センター側の通信アダプタ装置２４に応答信号が送られ、監視センター側の通信アダプタ装置２４からＩＳＤＮ通信網１８に応答信号が送信され、それが移動体通信網１５を介して監視対象側の通信アダプタ装置１３に到達し、監視対象側の通信アダプタ装置１３よりアナログ電話インターフェースを介してエレベータ側送受話器１７に応答信号が送られることによりエレベータ側モデム１１と監視センター２０側のモデム２６との間で通信が確立する。
【００３６】
次に、監視対象側のモデム１１と監視センター側のモデム２６の間の通信回線が確立された状態で、監視装置１０から監視データが出力され（ステップ３０７）、モデム１１でアナログのみなし音声信号に変換される（ステップ３０８）。このアナログのみなし音声信号は監視対象側の通信アダプタ装置１３内で、３２ｋｂｐｓのＡＤＰＣＭデジタル信号に変換され、エラー訂正用フレームが付加され、６４ｋ非制限デジタル通信により移動体通信網１５へ送信される（ステップ３０９）。この送信信号は監視センター側の通信アダプタ装置２４で受信され、エラーフレームの破棄が行なわれた上でフレームが除去されてデジタル音声信号が抽出され、さらにデジタル音声信号からアナログ電話音声信号に変換される（ステップ３１０）。みなし音声信号に変換された監視データはモデム２６でデジタル信号に変換され（ステップ３１１）遠隔監視装置２１に送られる。遠隔監視装置２１では、受信した監視データに基づいてエレベータ１の故障状態を把握することができる（ステップ３１２）。
【００３７】
次に、上記構成の遠隔監視システムで監視センターより監視装置に対してポーリングにて定例的なエレベータ監視情報の吸い上げを行なう場合の動作について説明する。
図５は、エレベータ１の監視データをポーリングにより吸い上げる場合の動作の一例を示すフローチャートである。図５において、監視センターが監視情報の吸い上げを開始する場合（ステップ４０１）、遠隔監視装置２１は監視装置１０への発呼要求を発信する（ステップ４０２）。遠隔監視装置２１の接続要求はモデム２６でアナログ電話インターフェースの発呼要求信号に変換される（ステップ４０３）。監視センター側の通信アダプタ装置２４は、遠隔監視装置２１からの発呼要求信号を受信すると、移動体通信網１５に対して監視対象側の通信アダプタ装置１３の電話番号宛てに発呼する（ステップ４０４）。この発呼により、ＩＳＤＮ通信網１８及び移動体通信網１５で接続された監視対象側の通信アダプタ装置１３に着信し、前記監視対象側の通信アダプタ装置１３よりアナログ電話インターフェースを介して監視対象側のモデム１１が呼び出される（ステップ４０５）。監視対象側のモデム１１が応答する（ステップ４０６）と、アナログ電話インターフェースを介して監視対象側の通信アダプタ装置１３に応答信号が送られ、監視対象側の通信アダプタ装置１３からＩＳＤＮ通信網１８に応答信号が送信され、それが移動体通信網１５を介して監視センター側の通信アダプタ装置２４に到達し、監視センター側の通信アダプタ装置２４よりアナログ電話インターフェースを介して監視センター２０のモデム２６に応答信号が送られることによりエレベータ側モデム１１と監視センター２０側のモデム２６との間で通信が確立する。
【００３８】
次に、監視対象側のモデム１１と監視センター側のモデム２６の間の通信回線が確立された状態で、監視装置１０から監視データが出力され（ステップ４０７）、モデム１１でアナログのみなし音声信号に変換される（ステップ４０８）。このアナログのみなし音声信号は監視対象側の通信アダプタ装置１３内で、３２ｋｂｐｓのＡＤＰＣＭデジタル信号に変換され、エラー訂正用フレームが付加され、さらに所定のＡＴコマンド信号が重畳されて、６４ｋ非制限デジタル通信により移動体通信網１５へ送信される（ステップ４０９）。この送信信号は監視センター側の通信アダプタ装置２４で受信され、エラーフレームの破棄が行なわれた上でフレームが除去されてデジタル音声信号が抽出され、さらにデジタル音声信号からアナログ電話音声信号に変換される（ステップ４１０）。みなし音声信号に変換された監視データはモデム２６でデジタル信号に変換され（ステップ４１１）遠隔監視装置２１に送られる。遠隔監視装置２１では、受信した監視データに基づいてエレベータ１の定例の監視状態を把握することができる（ステップ４１２）。
【００３９】
図６は、エレベータ１内の利用者が監視センター２０のオペレータと音声通話する場合の動作の一例を示すフローチャートである。図６において、まず利用者が送受話器１７を操作して通話ボタンを押すと（ステップ５０１）、監視対象側の通信アダプタ装置１３が送受話器１７から受信するアナログ電話インターフェースでの発呼要求を検知して、移動体通信制御における発信手順を起動することにより、監視センター２０の電話番号宛てに発呼する（ステップ５０２）。この発呼により、移動体通信網１５及びＩＳＤＮ通信網１８で接続された監視センター側の通信アダプタ装置２４に着信し、前記監視センター側の通信アダプタ装置２４よりアナログ電話インターフェースを介して監視センター２０内の送受話器が２２呼び出される（ステップ５０３）。監視センター２０の送受話器２２が応答する（ステップ５０４）と、アナログ電話インターフェースを介して監視センター側の通信アダプタ装置２４に応答信号が送られ、監視センター側の通信アダプタ装置２４からＩＳＤＮ通信網１８に応答信号が送信され、それが移動体通信網１５を介して監視対象側の通信アダプタ装置１３に到達し、監視対象側の通信アダプタ装置１３よりアナログ電話インターフェースを介してエレベータ側の送受話器１７に応答信号が送られることによりエレベータ側の送受話器１７と監視センター２０側の送受話器２２との間で通信が確立する。エレベータ側の送受話器１７と監視センター２０側の送受話器２２との間で通信が確立された状態で、利用者が送受話器１７で送話すると（ステップ５０５）、その音声通話信号からなるアナログ電話音声信号が監視対象側の通信アダプタ装置１３内で、３２ｋｂｐｓのＡＤＰＣＭデジタル信号に変換され、エラー訂正用フレームが付加され、６４ｋ非制限デジタル通信により移動体通信網１５へ送信される（ステップ５０６）。この送信信号は監視センター側の通信アダプタ装置２４で受信され、エラーフレームの破棄が行なわれた上でフレームが除去されてデジタル音声信号が抽出され、デジタル音声信号からアナログの音声通話信号に変換され（ステップ５０７）、監視センター側の送受話器２２にてオペレータが受話する（ステップ５０８）。一方、オペレータが送受話器２２で送話すると（ステップ５０９）、その音声通話信号からなるアナログ電話音声信号が監視センター側の通信アダプタ装置２４内で、３２ｋｂｐｓのＡＤＰＣＭデジタル信号に変換され、エラー訂正用フレームが付加され、６４ｋ非制限デジタル通信により移動体通信網１５へ送信される（ステップ５１０）。この送信信号は監視対象側の通信アダプタ装置１３で受信され、エラーフレームの破棄が行なわれた上でフレームが除去されてデジタル音声信号が抽出され、デジタル音声信号からアナログの音声通話信号に変換され（ステップ５１１）、エレベータ側の送受話器１７にて利用者が受話する（ステップ５１２）。そして、音声通話の終了を検知すると音声通話を終了し（ステップ５１３でＹｅｓ）、終了を検知しなければ音声通話は継続する（ステップ５１３でＮｏ）。このようにして、エレベータ１内の利用者と監視センター２０のオペレータとの間で、双方向の同時通話ができる。
【００４０】
以上、本実施形態によれば、監視対象側の監視装置１０と監視センター２０側の遠隔監視装置２１との間を、移動体通信網１５とＩＳＤＮ通信網１８とを介して、監視対象側の通信アダプタ装置１３と監視センター側の通信アダプタ装置２４とによって接続したので、ＰＨＳ通信網を用いた従来の構成に比べ、より広い地域に配設された監視対象について安定した通信状態を維持しながら遠隔監視することができる。また、非制限デジタル通信方式を採用したことにより、移動体通信網におけるモデムのアナログ信号のスループットの低下を防いで、デジタル信号の監視データとアナログ信号の音声通話信号とを同時に良好に送受信することができる。
また、ＰＨＳ通信網を用いて構築されている既存の遠隔監視システムにおいて、ＰＨＳ通信網を本実施形態に係る移動体通信網を用いた構成に容易に切り替えることができる。
【００４１】
なお、上記実施形態では、監視対象の監視データを監視センターに送信するとともに、監視対象側と監視センターとの間で双方向音声通話ができる構成について説明したが、これに加えて、監視センター側から制御データを送信して監視対象を遠隔制御することもできる。
また、上記実施形態では、監視対象がエレベータの場合について説明したが、本発明は、監視対象の種類に限定されることなく適用することができる。例えば、本発明は、監視対象が駐車場設備、ビルのポンプ設備や空調設備、プラント内の設備や環境である場合にも同様に適用することができ、同様な効果を奏するものである。
【符号の説明】
【００４２】
１    エレベータ（監視対象）
１０  監視装置
１１、２６  モデム
１２、２５  切替器
１３  監視対象側の通信アダプタ装置
１４  アンテナ
１５  移動体通信網
１６  携帯基地局
１７、２２  送受話器
１８  ＩＳＤＮ通信網
２０  監視センター
２１  遠隔監視装置
２３  ターミナルアダプタ（ＴＡ）
２４  監視センター側の通信アダプタ装置
１３１、２４１  加入者ループインターフェース回路（ＳＬＩＣ）
１３２、２４２  ＡＤＰＣＭコーデック部（ＡＤＰＣＭ−Ｃｏｄｅｃ）
１３３、２４３  フレーム制御装置
１３４、２４４  呼制御信号変換装置
１３５、２４５  伝送信号重畳・分離装置
１３６  無線通信装置
１３７  ＵＳＩＭ
２４６  ＵＳＢコネクタ
【図１】
2010283591.tif 000003
【図２】
2010283591.tif 000004
【図３】
2010283591.tif 000005
【図４】
2010283591.tif 000006
【図５】
2010283591.tif 000007
【図６】
2010283591.tif 000008
【図７】
2010283591.tif 000009